(57)【要約】【課題】たとえば社内で管理しているノート型ＰＣを、外出前や帰宅前に保管することで、盗難防止と共に、不必要な情報の洩れを防止することができるノート型ＰＣ収納用キャビネットを提供する。【解決手段】縦長のキャビネットＰを設ける。キャビネットＰには、天板Ｐ１と底板Ｐ２と左右の側板Ｐ３と背面板Ｐ４と複数段の棚板Ｐ５とを設ける。各棚板Ｐ５で仕切られた各空間の前面に個別の扉１を設置して収納スペースを形成する。収納スペースに収納されたノート型ＰＣに充電せしめるコンセント２を各収納スペース内に配設する。各扉１の開閉及び開閉状況を管理する制御装置１０と、該制御装置１０を操作するコントロールパネル２０と、各扉１の開閉時間と開閉操作した者の氏名とをデータ管理する制御用ＰＣ４０とをキャビネットＰに備える。【選択図】図２
0003114083.tif 000002
【実用新案登録請求の範囲】
【請求項１】
天板と底板と左右の側板と背面板とノート型を収納する複数段の棚板とを有する縦長のキャビネットにおいて、各棚板で仕切られた各空間の前面に個別の扉を設置して収納スペースを形成し、収納されたノート型に充電せしめるコンセントを各収納スペース内に配し、各扉の開閉を制御する制御装置と、該制御装置を操作するコントロールパネルと、扉の開閉状況を管理する制御用ＰＣと、をキャビネットに備えたことを特徴とするノート型ＰＣ収納用キャビネット。
【請求項２】
前記扉は、一方の前記側板がわにヒンジを介して揺動自在に連結され、他方の側板がわを開閉端部として該側板がわに出没自在なラッチが設けられ、扉から前記キャビネットの側板がわに突出したラッチを係止する係止孔と、扉開放時にラッチを扉方向に押し戻すソレノイドと、扉を開放方向に押圧付勢する押圧ピンと、をキャビネットの他方の側板がわに設けると共に、開放された扉が半開き状に保持されるように設けたトーションバネを前記ヒンジ側に装着した請求項１記載のノート型ＰＣ収納用キャビネット。
【請求項３】
前記扉の開閉を同時に規制せしめる帯状の子扉を各扉の開放端部がわに沿って配設し、該子扉に前記扉のラッチを係止せしめる前記係止孔を設けると共に、該子扉を手動で施錠せしめる施錠装置を設け、子扉の開放で全てのラッチを同時に開放するように設けた請求項１又は２記載のノート型ＰＣ収納用キャビネット。
【請求項４】
前記キャビネットから前記制御装置と前記コントロールパネルと前記制御用ＰＣとを外したキャビネットで増設ユニットを形成し、該増設ユニットを前記キャビネットの前記ヒンジがわ側板に順次連結すると共に、増設ユニットの各ソレノイドを前記キャビネットの前記制御装置にリンクさせ、連結された増設ユニットの各扉の開閉を前記制御装置で制御するように設けた請求項１乃至３いずれか記載のノート型ＰＣ収納用キャビネット。
【請求項５】
前記制御用ＰＣは、各収納スペースの空き情報及び、各扉の開閉時間と開閉操作した者の氏名とをデータ管理するように設けられた請求項１乃至４いずれか記載のノート型ＰＣ収納用キャビネット。
【考案の詳細な説明】
【技術分野】
【０００１】
本考案は、個人情報を保護するため、たとえば社内で使用管理しているノート型ＰＣを帰宅前に保管することで、不必要な情報が漏れ出ないようにするノート型ＰＣ収納用キャビネットに関する。
【背景技術】
【０００２】
個人情報を保護するために様々な手段が試みられている。その中で、社内で使用されているノート型ＰＣを自宅に持ち帰る際に紛失し、個人情報が流出するケースが増えている。従来のキャビネットには、パソコン等を収納するように設けられているものもあるが、個人情報を保護するためにノート型ＰＣを管理するようには設けられていない。
【０００３】
たとえば、特許文献１に記載されているキャビネットは、パソコン等を収納するキャビネットとして提案されているが、このキャビネットは、制御装置としてのパソコン及び電源などの関連装置を通常使用する状態で収納するものである。
【０００４】
一方、特許文献２に記載されたキャビネットでは、工場など、浮遊する塵埃が多い場所で使用する際に、その塵埃などから防護した状態でパソコン等を使用するのに好適な構成が記載されている。
【特許文献１】特開平１０−２０１５４８号公報
【特許文献２】特許２０００−１５７３４４号公報
【考案の開示】
【考案が解決しようとする課題】
【０００５】
特許文献１又は２に記載されている従来のキャビネットは、パソコンなどを収納するように構成されているが、前述の如く、個人情報を保護する目的で構成されているものではなかった。ところが、ノート型ＰＣの如く、個人情報を記憶している機材を簡単に移動できるようになると、個人情報を守るためにノート型ＰＣの管理が必要になっている。
【０００６】
そこで本考案は、上述の課題を解消すべく案出されたもので、たとえば社内で管理しているノート型ＰＣを、外出前や帰宅前に保管することで、盗難防止と共に、不必要な情報の洩れを防止することができるノート型ＰＣ収納用キャビネットの提供を目的とするものである。
【課題を解決するための手段】
【０００７】
本考案の第１の手段は、天板Ｐ１と底板Ｐ２と左右の側板Ｐ３と背面板Ｐ４とノート型ＰＣを収納する複数段の棚板Ｐ５とを有する縦長のキャビネットＰにおいて、各棚板Ｐ５で仕切られた各空間の前面に個別の扉１を設置して収納スペースを形成し、収納されたノート型ＰＣに充電せしめるコンセント２を各収納スペース内に配し、各扉１の開閉を制御する制御装置１０と、該制御装置１０を操作するコントロールパネル２０と、扉１の開閉状況を管理する制御用ＰＣ４０と、をキャビネットＰに備えたことにある。
【０００８】
第２の手段における前記扉１は、一方の前記側板Ｐ３がわにヒンジ８を介して揺動自在に連結され、他方の側板Ｐ３がわを開閉端部として該側板Ｐ３がわに出没自在なラッチ３が設けられ、扉１から前記キャビネットＰの側板Ｐ３がわに突出したラッチ３を係止する係止孔４と、扉１開放時にラッチ３を扉１方向に押し戻すソレノイド５と、扉１を開放方向に押圧付勢する押圧ピン６と、をキャビネットＰの他方の側板Ｐ３がわに設け、開放された扉１が半開き状に保持されるように設けたトーションバネ７を前記ヒンジ８側に装着している。
【０００９】
第３の手段は、前記扉１の開閉を同時に規制せしめる帯状の子扉３０を各扉１の開放端部がわに沿って配設し、該子扉３０に前記扉１のラッチ３を係止せしめる係止孔４を設けると共に、該子扉３０を手動で施錠せしめる施錠装置３１を設け、子扉３０の開放で全ての扉１を同時に開放するように設けている。
【００１０】
第４の手段は、前記キャビネットＰから前記制御装置１０と前記コントロールパネル２０とを外したキャビネットＰで増設ユニットＱを形成し、該増設ユニットＱを前記キャビネットＰの前記ヒンジがわ側板Ｐ３に順次連結すると共に、増設ユニットＱの各ソレノイド５を前記キャビネットＰの前記制御装置１０にリンクさせ、連結された増設ユニットＱの各扉１の開閉を前記制制御装置１０制御するように設けたものである。
【００１１】
第５の手段において、前記制御用ＰＣ４０は、各収納スペースの空き情報及び、各扉１の開閉時間と開閉操作した者の氏名とをデータ管理するように設けられたことを課題解消のための手段とする。
【考案の効果】
【００１２】
本考案の請求項１により、たとえば社内で管理しているノート型ＰＣを、外出前や帰宅前に本考案キャビネットに保管することで、盗難防止と共に、不必要な情報の洩れを防止することができる。しかも、収納スペース内には、充電用のコンセント２も備えているので、本考案キャビネットに収納しながらノート型ＰＣに充電することも可能である。
【００１３】
請求項２により、各扉１の開閉を制御装置１０が制御すると共に、開放された扉１は、
トーションバネ７により、半開き状に保持されるので、扉１が全開状態となって見栄えを損ねるおそれがない。しかも、扉１が半開き状に保持されることで、各収納スペースの使用状況が目視で確認できる効果もある。
【００１４】
請求項３では、子扉３０の開放操作で全てのラッチ３を解除することが可能になっているので、停電など、ソレノイド５が作動しない場合でも各扉１を開けることができる。また、施錠装置３１を解除して子扉３０を開けることで、各扉１を一斉に開けることが可能であるから、キャビネットＰの保守・点検にも好適である。
【００１５】
請求項４では、増設ユニットＱの増設により、収納容量を自由に拡大することが可能になった。しかも、増設された増設ユニットＱの扉１も、キャビネットＰの制御装置１０にて制御できる。
【００１６】
請求項５により、制御用ＰＣ４０が、各収納スペースの空き情報及び、各扉１の開閉時間と開閉操作した者の氏名とをデータ管理することで、たとえば社内で使用しているノート型ＰＣを管理することができる。
【００１７】
このように本考案によると、たとえば社内で管理しているノート型ＰＣを、外出前や帰宅前に保管することで、盗難防止と共に、不必要な情報の洩れを防止することができるなどといった有益な種々の効果を奏するものである。
【考案を実施するための最良の形態】
【００１８】
本考案の最良の形態は、各棚板Ｐ５で仕切られた各空間の前面に個別の扉１を設置して収納スペースを形成する。収納スペースに収納されたノート型ＰＣに充電せしめるコンセント２を各収納スペース内に配設する。各扉１の開閉及び開閉状況を管理する制御装置１０と制御用ＰＣ４０とをキャビネットＰに設ける。該制御装置１０を操作するコントロールパネル２０をキャビネットＰに備える。制御用ＰＣ４０は、各収納スペースの空き情報及び、各扉１の開閉時間と開閉操作した者の氏名とをデータ管理するように設けられる。扉１は、一方の前記側板Ｐ３がわにヒンジ８を介して揺動自在に連結される。他方の側板Ｐ３がわを開閉端部として該側板Ｐ３がわに出没自在なラッチ３が設けられる。開放された扉１が半開き状に保持されるように設けたトーションバネ７をヒンジ８側に装着する。子扉１に前記扉１のラッチ３を係止せしめる前記係止孔４を設ける。子扉３０の開放で全てのラッチ３を同時に開放するように設け、該子扉３０を手動で施錠せしめる施錠装置３１を設けることで当初の目的を達成するものである。
【実施例】
【００１９】
本考案キャビネットは、たとえば、ノート型ＰＣを使用している会社や、不特定多数の人が使用する公共施設などで使用するキャビネットとして使用するものであり、特にノート型ＰＣを専用に収納するものである。以下、図面を参照して本考案の実施例を詳細に説明する。
【００２０】
本考案キャビネットは、天板Ｐ１と底板Ｐ２と左右の側板Ｐ３と背面板Ｐ４とノート型ＰＣを収納する複数段の棚板Ｐ５とを有する縦長のキャビネットＰである（図１参照）。更に、各棚板Ｐ５で仕切られた各空間の前面に扉１を装着している。この扉１を装着することで、ノート型ＰＣを収納する収納スペースが形成される（図２参照）。この収納スペースの内部には、収納されたノート型ＰＣに充電せしめるコンセント２を設けてある。図示のコンセント２は、二口用のコンセント２を設けており、ノート型ＰＣへの充電と共に他の機器にも使用できるようにしている。
【００２１】
また、扉１に透明な窓１Ａを設けることで、施錠されている収納スペースにノート型ＰＣが収納されているか否かを目視で確認することができる（図１参照）。この窓１Ａは、アクリル板を嵌め込むほか、スリット状若しくはパンチング状等の透光孔（図示せず）を設けてもよく、窓１Ａのサイズも自由に変更することができる。
【００２２】
更に、キャビネットＰの背面板Ｐ４にファン９を設けてある。このファン９により、制御用ＰＣ４０や制御装置１０、コントロールパネル２０等の作動に適した温度に調整できるようにしている（図９参照）。
【００２３】
扉１の開放操作は制御装置１０と該制御装置１０を操作するコントロールパネル２０によって行う。すなわち、記扉１は、一方の前記側板Ｐ３がわにヒンジ８を介して揺動自在に連結されている。このヒンジ８には、トーションバネ７が設けられ、開放された扉１が半開き状に保持されるようにしている（図７参照）。
【００２４】
他方の側板Ｐ３がわを開閉端部とし、該側板Ｐ３がわに、扉１から前記キャビネットＰの側板Ｐ３がわに出没自在なラッチ３が設けられている（図６参照）。更に、キャビネットＰの側板Ｐ３がわには、この突出したラッチ３を係止する係止孔４を設けている。このキャビネットＰの側板Ｐ３がわには、更に、扉１開放時にラッチ３を扉１方向に押し戻すソレノイド５と、扉１を開放方向に押圧付勢する押圧ピン６とを設けている（図７参照）。そして、このソレノイド５の制御を制御装置１０が行うものである。
【００２５】
一方、コントロールパネル２０は、この制御装置１０を操作するもので、扉１の開閉やユーザー認証、暗号認証などの操作を一括して行うものである。図示のコントロールパネル２０は、キャビネットＰの略中央に設置して操作を容易にしている。このとき、コントロールパネル２０の画面の角度を使用者の好みで調整自在にすることで、より操作し易いコントロールパネル２０にすることができる。図示例での解錠操作は次のように行われる。まず、コントロールパネル２０にて解錠操作を行うと、制御装置１０の制御によって指定した扉１のソレノイド５に通電され、係止孔４に係止しているラッチ３をプッシャー５Ａが押し返し、係止孔４からラッチ３が外れる。続いて、弾性体６に設けた圧縮ばね６Ａの付勢力にて扉１を押圧し、扉１を開け放つ。このとき、ヒンジ８に設けたトーションバネ７の作用によって、扉１は半開きの状態になる。そこで、更に扉１を大きく開けてノート型ＰＣを取り出すものである。扉１を閉じる際は、ラッチ３に設けた圧縮ばね３Ａの作用でラッチ３が係止孔４に係止する。
【００２６】
符号３０は、前記扉１の開閉を同時に規制せしめる子扉である（図１参照）。この子扉３０は、縦長の帯状を成し、各扉１の開放端部がわに沿って配設している。そして、該子扉３０に前記扉１のラッチ３を係止せしめる係止孔４を設けている。また、該子扉３０を手動で施錠せしめる施錠装置３１を設け、子扉３０の開放で、係止孔４に係止した全てのラッチ３を同時に開放するようにしている（図５参照）。
【００２７】
符号Ｑは増設ユニットである（図８参照）。この増設ユニットＱは、前記キャビネットＰから前記制御装置１０と前記コントロールパネル２０とを外して形成したもので、図示例では、天板Ｑ１、底板Ｑ２、側板Ｑ３、背面板Ｑ４、棚板Ｑ５を有し、制御装置１０等の換わりに棚板Ｐ５を増設している（図９参照）。この増設ユニットＱは、前記キャビネットＰのヒンジがわ側板Ｐ３に連結するようにユニット化されており、キャビネットＰへの装着を容易にしている。更に増設ユニットＱにも同様に他の増設ユニットＱを連結自在に設けている。そして、連結した増設ユニットＱの各ソレノイド５を前記キャビネットＰの前記制御装置１０にリンクさせることで、連結された増設ユニットＱの各扉１の開閉及び開閉状況を前記制御装置１０で制御・管理するように設けている。また、キャビネットＰと同様に、子扉３０による一斉開放も可能にしている。
【００２８】
制御用ＰＣ４０は、扉１の開閉状況を管理する。すなわち、この開閉状況とは、各収納スペースの空き情報や、各扉１の開閉時間及び開閉操作した者の氏名などをデータ管理するように設けられている。次に、コントロールパネル２０と制御用ＰＣ４０を利用した本考案の出庫データ管理例を説明する。たとえば、使用者を特定するユーザー認証を使用することが可能である。この場合、誰がどの扉１を何時に開閉したかが分かるようになる。また、ユーザー認証を使用せずに、暗証番号のみを使用することも可能である。この場合、事前にユーザー登録する必要がないので、たとえば、不特定多数の公共施設のロッカーとして、ノート型ＰＣを一時預かりすることができる。また、ユーザー認証と暗証番号とを併用することで、セキュリティの高い使用が可能になる。
【００２９】
制御用ＰＣ４０が管理する操作履歴や扉１の開閉履歴などのデータは、ジャーナルとして扱われる。このジャーナルは、ジャーナルの種類ごとに表示したり、ファイル出力したりすることができる。たとえば、操作ジャーナル、ボックスジャーナル、登録・設定ジャーナル、アラームジャーナル、トレースジャーナルなどを設定することができる。操作ジャーナルでは、ユーザー認証やパスワード変更、扉１の開閉時間などをデータ化する。このように、制御用ＰＣ４０が管理するデータは、任意に設定できるものである。
【００３０】
尚、本考案における図示例の各構成は、本考案の一実施例に過ぎず、扉１やキャビネットＰの形状や寸法等の設計変更、材質の転換及び各構成部材の使用態様の変更など、本考案の要旨を変更しない範囲において自由に変更することができるものである。
【図面の簡単な説明】
【００３１】
【図１】本考案の一実施例を示す正面図である。
【図２】本考案の一実施例を示す側断面図である。
【図３】本考案の一実施例を示す背面図である。
【図４】図１に示す矢視Ｂ−Ｂ’線を示す断面図である。
【図５】図１に示す矢視Ａ−Ａ’線を示す断面図である。
【図６】本考案のラッチとソレノイドの関係を示す要部断面図である。
【図７】本考案の扉の開閉状態を示す要部断面図である。
【図８】本考案の増設ユニットの一実施例を示す正面図である。
【図９】本考案の増設ユニットの一実施例を示す要部断面図である。
【符号の説明】
【００３２】
Ｐ  キャビネット    Ｐ１  天板
Ｐ２  底板
Ｐ３  側板
Ｐ４  背面板
Ｐ５  棚板    
Ｑ  増設ユニット    Ｑ１  天板
Ｑ２  底板
Ｑ３  側板
Ｑ４  背面板
Ｑ５  棚板    
１  扉              １Ａ  窓
２  コンセント
３  ラッチ          ３Ａ  圧縮ばね
４  係止孔
５  ソレノイド      ５Ａ  プッシャー
６  押圧ピン        ６Ａ  圧縮ばね
７  トーションバネ  
８  ヒンジ  
９  ファン
１０  制御装置
２０  コントロールパネル
３０  子扉
３１  施錠装置
４０  制御用ＰＣ
【図１】
0003114083.tif 000003
【図２】
0003114083.tif 000004
【図３】
0003114083.tif 000005
【図４】
0003114083.tif 000006
【図５】
0003114083.tif 000007
【図６】
0003114083.tif 000008
【図７】
0003114083.tif 000009
【図８】
0003114083.tif 000010
【図９】
0003114083.tif 000011